(57)【特許請求の範囲】
【請求項１】
外装体と、前記外装体の内面に内装体を固定した使い捨ておむつにおいて、
前記内装体は、身体面側の液透過性の表面シートと、反身体面側の液不透過性の弾性伸縮シートと、前記表面シートと弾性伸縮シートの間に、装着者から排泄される排泄物を吸収する吸収体を有する吸収要素を設け、前記吸収要素の幅方向の左右側に、前記排泄物の外部への漏れを防止する前後方向に延在する立体ギャザーを設け、
前記吸収要素の反身体面の幅方向の中央部に、前記吸収体の前端部から後端部に延在して幅方向に所定の長さを有する矩形状の液不透過性の弾性伸縮シートを設け、
前記弾性伸縮シートの前後方向の伸長率を１２５〜１４５％とした状態で、前記弾性伸縮シートの反身体面と外装体を、前記弾性伸縮シートの反身体面の５０％以上に均一に分散して設けられたドット状の接着剤で固定し、
前記弾性伸縮シートの前後方向の伸長率を１２５〜１４５％とした状態で、前記弾性伸縮シートの身体面と吸収要素を、前記弾性伸縮シートの身体面の５０％以上に均一に分散して設けられたドット状の接着剤で固定し、
前記弾性伸縮シートの前後方向の伸長率を１２５〜１４５％とした状態において、前記弾性伸縮シートの幅方向の長さを、前記吸収体の幅方向の長さの５５〜９０％にし、自然長時の幅方向の長さが５０ｍｍ時の前記弾性伸縮シートの前後方向の引張強度を０．１９〜０．４５Ｎにし、
前記吸収体の前後方向の中間部の幅方向の左右側に、略円弧状の切欠き部を設け、前記切欠き部の幅方向の最狭幅を、前記吸収体の幅方向の長さ３５〜７５％で、且つ、前記弾性伸縮シートの前後方向の伸長率を１２５〜１４５％とした状態における弾性伸縮シートの幅方向の長さの６０〜９５％にし、前記切欠き部の前後方向の長さを、前記吸収体の前後方向の長さの２５〜６７％にし、
前記弾性伸縮シートの目付けを１５〜２５ｇ／ｍ2にしたことを特徴とする使い捨ておむつ。
【請求項２】
前記立体ギャザーを防水シートと防水シートを挟持するギャザーシートで形成し、
前記弾性伸縮シートの幅方向の左右側に、前記防水シートの幅方向の内側部を固定した請求項１記載の使い捨ておむつ。
【発明の詳細な説明】
【技術分野】
【０００１】
本発明は、使い捨ておむつに関するものであり、特に、吸収体の垂れ下がりを防止した使い捨ておむつに関するものである。
【背景技術】
【０００２】
従来、吸収体を内装する外装体の脚開口部に複数の細長状の弾性伸縮部材を設け、この弾性伸縮部材によって吸収体の幅方向の両側部を装着者側に引上げる構造が知られている。（特許文献１）
また、吸収体を内装する外装体の股間部に弾性伸縮シートの前後方向の部位を固定して、この弾性伸縮部材によって弾性伸縮シート上に装着された吸収性パッドを装着者側に引上げる構造が知られている。（特許文献２）
【先行技術文献】
【特許文献】
【０００３】
【特許文献１】特開平９−５６７４６号公報
【特許文献２】実開平５―６２２２７号公報
【発明の概要】
【発明が解決しようとする課題】
【０００４】
しかし、特許文献１に開示された構造においては、装着者から尿等の排泄物が排泄された場合に、吸収体の幅方向の中央部の垂れ下がりが大きいために装着者が股間部に違和感を感じる虞がある。また、吸収体の垂れ下がりによって装着者の脚部と立体ギャザーの間に隙間が発生して、この隙間から排泄物が外部に漏れ出す虞があった。
【０００５】
特許文献２に開示された構造においては、弾性伸縮シートが外装体の股間部の前後方向における前後部位にのみ固定されているために、特に装着者から排泄物が排泄された場合に、本願の吸収体に対応する吸収性パッドによじれが生じて、装着者の一方の脚部に偏倚して膨潤する虞があるために装着者が股間部に違和感を感じる虞がある。
【０００６】
そこで、本発明の主たる課題は、装着者の身体側に吸収体を引き上げ、装着者から排泄された排泄物の外部への漏れ出しを防止すると共に、吸収体の垂れ下がり、よじれを抑制して装着者が感じる股間部の違和感に伴うもたつき感を低減する使い捨ておむつを提供することにある。
【課題を解決するための手段】
【０００７】
上記課題を解決した本発明は次記のとおりである。
請求項１に係る発明は、外装体と、前記外装体の内面に内装体を固定した使い捨ておむつにおいて、
前記内装体は、身体面側の液透過性の表面シートと、反身体面側の液不透過性の弾性伸縮シートと、前記表面シートと弾性伸縮シートの間に、装着者から排泄される排泄物を吸収する吸収体を有する吸収要素を設け、前記吸収要素の幅方向の左右側に、前記排泄物の外部への漏れを防止する前後方向に延在する立体ギャザーを設け、前記吸収要素の反身体面の幅方向の中央部に、前記吸収体の前端部から後端部に延在して幅方向に所定の長さを有する矩形状の液不透過性の弾性伸縮シートを設け、前記弾性伸縮シートの前後方向の伸長率を１２５〜１４５％とした状態で、前記弾性伸縮シートの反身体面と外装体を、前記弾性伸縮シートの反身体面の５０％以上に均一に分散して設けられたドット状の接着剤で固定し、前記弾性伸縮シートの前後方向の伸長率を１２５〜１４５％とした状態で、前記弾性伸縮シートの身体面と吸収要素を、前記弾性伸縮シートの身体面の５０％以上に均一に分散して設けられたドット状の接着剤で固定し、前記弾性伸縮シートの前後方向の伸長率を１２５〜１４５％とした状態において、前記弾性伸縮シートの幅方向の長さを、前記吸収体の幅方向の長さの５５〜９０％にし、自然長時の幅方向の長さが５０ｍｍ時の前記弾性伸縮シートの前後方向の引張強度を０．１９〜０．４５Ｎにし、前記吸収体の前後方向の中間部の幅方向の左右側に、略円弧状の切欠き部を設け、前記切欠き部の幅方向の最狭幅を、前記吸収体の幅方向の長さ３５〜７５％で、且つ、前記弾性伸縮シートの前後方向の伸長率を１２５〜１４５％とした状態における弾性伸縮シートの幅方向の長さの６０〜９５％にし、前記切欠き部の前後方向の長さを、前記吸収体の前後方向の長さの２５〜６７％にし、前記弾性伸縮シートの目付けを１５〜２５ｇ／ｍ2にしたことを特徴とする使い捨ておむつである。
【０００８】
【０００９】
【００１０】
【００１１】
請求項２に係る発明は、前記立体ギャザーを防水シートと防水シートを挟持するギャザーシートで形成し、前記弾性伸縮シートの幅方向の左右側に、前記防水シートの幅方向の内側部を固定した請求項１記載の使い捨ておむつである。
【００１２】
【発明の効果】
【００１３】
請求項１記載の発明によれば、内装体は、身体面側の液透過性の表面シートと、反身体面側の液不透過性の弾性伸縮シートと、表面シートと弾性伸縮シートの間に、装着者から排泄される排泄物を吸収する吸収体を有する吸収要素を設け、吸収要素の幅方向の左右側に、排泄物の外部への漏れを防止する前後方向に延在する立体ギャザーを設け、吸収要素の反身体面の幅方向の中央部に、吸収体の前端部から後端部に延在して幅方向に所定の長さを有する矩形状の液不透過性の弾性伸縮シートを設け、弾性伸縮シートの前後方向の伸長率を１２５〜１４５％とした状態で、弾性伸縮シートの反身体面と外装体を、弾性伸縮シートの反身体面の５０％以上に均一に分散して設けられたドット状の接着剤で固定し、弾性伸縮シートの前後方向の伸長率を１２５〜１４５％とした状態で、弾性伸縮シートの身体面と吸収要素を、弾性伸縮シートの身体面の５０％以上に均一に分散して設けられたドット状の接着剤で固定し、弾性伸縮シートの前後方向の伸長率を１２５〜１４５％とした状態において、弾性伸縮シートの幅方向の長さを、吸収体の幅方向の長さの５５〜９０％にし、自然長時の幅方向の長さが５０ｍｍ時の弾性伸縮シートの前後方向の引張強度を０．１９〜０．４５Ｎにし、吸収体の前後方向の中間部の幅方向の左右側に、略円弧状の切欠き部を設け、切欠き部の幅方向の最狭幅を、吸収体の幅方向の長さ３５〜７５％で、且つ、弾性伸縮シートの前後方向の伸長率を１２５〜１４５％とした状態における弾性伸縮シートの幅方向の長さの６０〜９５％にし、切欠き部の前後方向の長さを、吸収体の前後方向の長さの２５〜６７％にし、弾性伸縮シートの目付けを１５〜２５ｇ／ｍ2にしたので、吸収体の中央部が容易に変形して、吸収体の中間部を装着者の身体側に向かって均一に引上げて、吸収体の中間部の幅方向における部位全体で装着者からの排泄物を吸収して、吸収体の中間部の幅方向の両側部から立体ギャザーに向かって漏れ出す排泄物をより防止することができる。
また、装着者からの排泄物を吸収した吸収体の幅方向中央部での垂れ下がりを防止し、吸収体のよじれ等による偏倚部位の膨潤を防止して、排泄後に装着者が感じる違和感に起因するもたつき感を低減することができる。
さらに、吸収要素の通気性を高めて、外装体に襞を形成することもできる。
【００１４】
【００１５】
【００１６】
【００１７】
請求項２記載の発明によれば、請求項１記載の発明による効果に加えて、立体ギャザーを防水シートと防水シートを挟持するギャザーシートで形成し、弾性伸縮シートの幅方向の左右側に、防水シートの幅方向の内側部を固定したので、吸収体の幅方向の両側部からしみ出した排泄物の外部への漏れ出しを確実に防止することができる。
【００１８】
【図面の簡単な説明】
【００１９】
【図１】パンツタイプ使い捨ておむつの斜視図である。
【図２】パンツタイプ使い捨ておむつを展開した内面平面図である。
【図３】パンツタイプ使い捨ておむつを展開した外面平面図である。
【図４】図２の３−３断面図である。
【図５】図２の４−４断面図である。
【図６】図２の５−５断面図である。
【図７】第１実施形態の吸収体と弾性伸縮シートを展開した外面平面図である。
【図８】第２実施形態の吸収体と弾性伸縮シートを展開した外面平面図である。
【図９】第３実施形態の吸収体と弾性伸縮シートを展開した外面平面図である。
【図１０】（ａ）は実施例１、（ｂ）は実施例２、（ｃ）は実施例３、（ｄ）は実施例４の評価試験結果を示す股間部の写真である。
【図１１】（ａ）は比較例１、（ｂ）は比較例２、（ｃ）は比較例３、（ｄ）は比較例４の評価試験結果を示す股間部の写真である。
【図１２】（ｅ）は比較例５、（ｆ）は比較例６、（ｇ）は比較例７、（ｈ）は比較例８の評価試験結果を示す股間部の写真である。
【図１３】（ｉ）は比較例９の評価試験結果を示す股間部の写真である。
【図１４】ドット状の接着剤を（ａ）は半ピッチずらして配置した状態、（ｂ）は等ピッチに配置した状態である。
【発明を実施するための形態】
【００２０】
本発明の吸収要素の反身体面に設けられた弾性伸縮シートによって、吸収体に多量の排泄物が吸収された場合においても外部に排泄物の漏れを防止し、また、吸収体の垂れ下がり、よれ、割れに起因するもたつき感を防止する構造の理解を容易にするために、先ずパンツタイプ使い捨ておむつ１００について添付図面を参照して説明する。
図１に示すように、パンツタイプ使い捨ておむつ１００は、製品の外面をなす外装体１２と、外装体１２の内面に貼り付けられた内装体２００とから形成されている。
【００２１】
＜内装体＞
図２に示すように、内装体２００は、平面視において長方形に形成されているが、任意の形状にすることもできる。なお、本明細書において「前後方向」とは、腹側と背側を結ぶ方向を言い、「幅方向」とは、前後方向と直交する方向を言い、「上下方向」とは、パンツタイプ使い捨ておむつ１００の装着状態において胴回り方向と直交する方向を言うものとする。
【００２２】
図４，５に示すように、内装体２００は、身体面の表面シート３０と、反身体面の液不透過性の弾性伸縮シート１１と、これらの間に介在された吸収要素５０とを備えている。また、表面シート３０を透過した液を速やかに吸収要素５０へ移行させるために、表面シート３０と吸収要素５０との間には、中間シート４０が設けられ、内装体２００の両脇に排泄物が漏れるのを防止するために、内装体２００の両側には、身体側に起立する立体ギャザー６０が設けられている。なお、図４，５等の点模様部分は各構成部材を接合する接合部分を示しており、ホットメルト接着剤などのベタ、ビード、カーテンなどにより形成されるものである。
【００２３】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであればエアスルー法、ポイントボンド法、サーマルボンド法が、好ましい加工方法である。
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。また、立体ギャザー６０を設ける場合、表面シート３０の両側部は、弾性伸縮シート１１と立体ギャザー６０との間を通して、吸収要素５０の裏側まで回りこませ、液の浸透を防止するために、弾性伸縮シート１１及び立体ギャザー６０に対してホットメルト接着剤等により接着するのが好ましい。
【００２４】
（中間シート）
表面シート３０を透過した液を速やかに吸収体へ移行させるために、表面シート３０より液の透過速度が速い、中間シート４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
中間シート４０は、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。なお、目付けとは、次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
図２に図示する中間シート４０は、吸収体５６の幅より短く中央に配置されているが、吸収体５６の全幅にわたって設けてもよい。中間シート４０の前後方向長さは、吸収体５６の長さと同一でもよいし、液を受け入れる領域を中心にした短い長さ範囲内であってもよい。
【００２５】
（弾性伸縮シート）
弾性伸縮シート１１は、少なくとも一方向に伸長可能であり、且つ、伸長された状態において弾性的に収縮する性質を発現し得るシート材を広く用いることができる。例えば、弾性伸縮性シート１１としては、天然ゴム、ネオプレン等の合成ゴム、ポリブタジエン、ポリウレタン、スチレン−ブタジエン共重合体、スチレン−イソプレン共重合体、エチレンと１−オクテンとの共重合体等のエチレン−αオリフィン共重合体やエチレンとアクリル酸エチルとの共重合体、スパンデックス、発泡ポリウレタン等の弾性素材等からなる材料自体が伸縮性を有するフィルム、不織布、織物等、及びこれらの弾性素材と他の材料との複合材等を使用することができる。
弾性伸縮性シート１１のシートの構造としては弾性素材からなるフィルム、編み物、不織布、織物及びネット等、及びこれらと他の材料との積層体、交絡体等を挙げることができる。積層体、交絡体は、不織布のような柔軟な材の間に、弾性素材を、ホットメルト、ヒートシールなどの接着手段によって挟み込んで一体化して形成される。
また、伸縮性を有する材料からなる糸状や細幅の伸縮材料を、伸張した状態で幅方向に数本並べて、不織布、フィルム、織物等と接着固定し伸縮性をもたせたシートを用いてもよい。この糸状や細幅の伸縮材料と貼り合わせる不織布、フィルム、織物等としては、伸縮材料からなる材料や、従来当業界公知であるポリエチレン、ポリプロピレン、ポリエステルやそれらのポリエチレン−ポリプロピレン複合材料、ポリエチレンーポリエステル複合材料からなる不織布、フィルムなどでも良い。
特に、弾性伸縮シート１１は、多層フィルムを用いるのが好ましい。多層フィルムは、少なくとも１つのポリオレフィンポリマーを含有する第１層を含む。また、第２層が提供され、これは少なくとも１つのポリマー化合物を含み、ポリオレフィンポリマー、エチレンコポリマー樹脂、スチレンブロックコポリマー、フルオロポリマー、ポリ塩化ビニルまたは他の好適なポリマーあるいはその混合物であってもよい。
多層フィルムのより好ましい形態は、次の配列：外側コア層／内側コア層／外側コア層のである。外側コア層は、全フィルムの約１８〜２４重量％であり、好ましくは全フィルムの約２０〜２４重量％であり、より好ましくは全フィルムの約２４重量％である。内側コア層は、全フィルムの約４８〜６０重量％であり、好ましくは全フィルムの約４８重量％〜５４重量％であり、より好ましくは全フィルムの約４８重量％である。
外側コア層は、好ましくは少なくとも１つのポリオレフィンポリマーからなる。好ましいポリオレフィンポリマーには、ポリエチレン、ポリプロピレン、ポリブテン、ポリイソプレン、そのコポリマー、そのターポリマー、α−オレフィンプロピレンコポリマー、およびその混合物がある。好ましいプロピレンポリマーは１０重量％以下のα−オレフィン内容物を有するプロピレンとＣ４〜Ｃ８α−オレフィンとのコポリマー、１０重量％以下のエチレン内容物と１５重量％以下のブチレン内容物とを有するプロピレン、エチレンおよびブチレンとのターポリマーである。
内側コア層は、好ましくは約６７重量％の中和剤、たとえば、ＣａＣＯ３と、約３３重量％の高ＳＥＢＳブロックコポリマーを含有する。他の好適な化合物、たとえば、スチレン−エチレン／ブチレン−スチレン熱可塑性エラストマー、または高機能熱可塑性ゴムが使用されてもよい。
多層フィルムは、多層フィルムを製造するのに使用される常套の方法、たとえば、共押出および押出ラミネーション技術によって製造することができる。たとえば、多層フィルムを共押出で製造する場合は、個々の層材料の溶融可塑化されたストリームを共押出ダイに送る。一方、ダイでは、層は並列配置され組み合わされた後、ポリマー状材料の単一の多層フィルムの形でダイから出る。共押出技術は、標準的ダイ、マルチマニホールドダイ、たとえば、円形ダイだけでなく、フラットキャストフィルムおよびキャストシートを形成するのに使用されるマルチマニホールドダイと共にフィードブロックの使用を含む。
また、多層フィルムをブローフィルム共押出によって製造することもできる。多層フィルムは、同心の円形オリフィスを有するマルチマニホールド円形ダイヘッドを備えるブローフィルム装置を用いて形成される。多層フィルムは、溶融状態の層を円形ダイを通じて、かつ第１層と別の側または各対面側では溶融状態の層を第１の円形ダイと同心のさらなる円形ダイを通じて共押出することによって形成される。次に、ガス、典型的には空気を円形ダイと同心の噴射口を通じて吹き付け、これによって個々の層を広げるバブルを形成する。次に、バブルを取除いて２つの対面エッジが付着した１対の多層フィルムを形成する。なお、得られた多層フィルムは、所定の幅に切断して巻き取ることができる。
弾性伸縮シート１１の目付けは、１５〜２５ｇ／ｍ2である。後述する評価試験の結果から、吸収要素５０の反身体面に弾性伸縮シート１１を固定する場合は、前後方向の伸張率を１２５〜１４５％に伸張した弾性伸縮シート１１を固定するのが好適である。表１、図１０，１１に示すように、前後方向の伸張率が１２５％未満の場合は、装着者の股間から下側に向けて吸収体５６の股間部における中央部が大きく垂れ下がるために装着者にもたつき感を与える虞がある。一方、前後方向の伸張率が１４５％超の場合には、装着者の股間から下側に向けて吸収体５６の股間部における両側部が大きく垂れ下がるために排泄物が外部に漏れ出す虞がある。
【００２６】
前後方向の伸張率が１２５％における弾性伸縮シート１１の引張強度は０．１９〜０．３０Ｎであり、前後方向の伸長率１４５％における弾性伸縮シート１１の引張強度は０．３５〜０．４５Ｎである。なお、弾性伸縮シート１１の引張強度は、試料を伸張方向に１００ｍｍ、非伸長方向に５０ｍｍに試料を形成し、オートグラフ（島津製作所ＡＧ‐Ｘ）にて、チャック間７０ｍｍに設定し、試料の伸張方向の端部をチャックで挟み、３００ｍｍ／secの速度で１５０ｍｍ伸張させて測定した測定値である。
【００２７】
図７〜９に示すように、吸収要素５０の反身体面に前後方向の伸張率を１２５〜１４５％に伸張した弾性伸縮シート１１を固定した場合、弾性伸縮シート１１の幅方向の長さＸ２は、吸収要素５０の吸収体５６の幅方向の長さＸ１の５５〜９０％に形成されている。
【００２８】
吸収要素５０の反身体面に弾性伸縮シート１１を固定する方法については、特に制限はなく、吸収要素５０の反身体面に弾性伸縮シート１１を全面固定したり、部分固定することもできる。なお、吸収要素５０の通気性を高めるために、図１４（ａ）、（ｂ）に示すように相互に離間したドット状の接着剤７０を用いて固定するのが好ましい。
部分固定する場合には、弾性伸縮シート１１と吸収要素５０の反身体面を接合する接合パターンを均一に分散して、接合パターンによって接合される部位の面積を弾性伸縮シート１１と吸収要素５０の反身体面とが重なる部位に対して少なくとも５０％以上にするのが好ましい。
ホットメルト接着剤による接合の場合は、スロット・カーテン・シグネチャーなどにより全面塗布して全面固定してもよいし、間欠塗布して部分固定することもできる。さらに、超音波による場合は、ドットエンボスによって部分固定することもできる。
本明細書において接合される部位の割合は、弾性伸縮シート１１と吸収要素５０の反身体面が接合パターンによって接合される部位の面積を弾性伸縮シート１１と吸収要素５０とが重なる部位の面積で除算して算出するものとする。
【００２９】
（立体ギャザー）
立体ギャザー６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態の立体ギャザー６０は、内装体２００の側部から起立するように設けられ、付け根側の部分は幅方向中央側に向かって斜めに起立し、中間部より先端側の部分は幅方向外側に向かって斜めに起立するものである。
より詳細には、立体ギャザー６０は、内装体２００の前後方向長さに等しい長さを有する帯状のギャザーシート６２を幅方向に折り返して二つに折り重ねるとともに、折り返し部分及びその近傍のシート間に、細長状弾性伸縮部材６３を長手方向に沿って伸長状態で、幅方向に間隔をあけて複数本固定してなるものである。立体ギャザー６０のうち先端部と反対側に位置する基端部（幅方向においてシート折り返し部分と反対側の端部）は内装体２００の側縁部の裏面に固定された取付部分６５とされ、この取付部分６５以外の部分は取付部分６５から突出する突出部分６６（折り返し部分側の部分）とされている。また、突出部分６６は、幅方向中央側に向かう付け根側部分と、この付け根側部分の先端から幅方向外側に折り返された先端側部分とからなる。この形態は面接触タイプの立体ギャザーであるが、幅方向外側に折り返されない線接触タイプの立体ギャザー（図示省略）も採用することができる。そして、突出部分６６のうち前後方向両端部が倒伏状態で表面シート３０の側部表面に対してホットメルト接着剤（これに代えて又はこれとともにヒートシールや超音波シール等の素材溶着による固定手段を用いることもできる）により固定された前後固定部とされる一方で、これらの間に位置する前後方向中間部は非固定の自由部分とされ、この自由部分に前後方向に沿う細長状弾性部材６３が伸長状態で固定されている。
【００３０】
ギャザーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、ギャザーシート６２は、特に制限はなく他の不織布を使用することもできる。また、二つに折り重ねたギャザーシートの間に折り返し部分から弾性伸縮シート１１の幅方向の両側部まで延在する防水フィルム６４を介在させることもできる
【００３１】
立体ギャザー６０の自由部分に設けられる弾性伸縮部材６３の本数は２〜６本が好ましく、３〜５本がより好ましい。配置間隔は３〜１０ｍｍが適当である。このように構成すると、弾性伸縮部材６３を配置した範囲で肌に対して面で当たりやすくなる。先端側だけでなく付け根側にも弾性伸縮部材６３を配置しても良い。
立体ギャザー６０の取付部分６５の固定対象は、内装体２００における表面シート３０、液不透過性シート１１、吸収要素５０等適宜の部材とすることができる。これにより、立体ギャザー６０は、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍において立体ギャザー６０が幅方向外側に開くように起立するため、立体ギャザー６０が脚周りに面で当接するようになり、フィット性が向上するようになる。
立体ギャザー６０の寸法は適宜定めることができるが、乳幼児用紙おむつの場合は、立体ギャザー６０の起立高さは１５〜６０ｍｍ、特に２０〜４０ｍｍであるのが好ましい。また、立体ギャザー６０を表面シート３０表面と平行になるように、平坦に折り畳んだ状態において最も内側に位置する折り目間の離間距離６０〜１９０ｍｍ、特に７０〜１４０ｍｍであるのが好ましい。なお、図示形態と異なり、内装体２００の左右各側において立体ギャザーを二重に（二列）設けることもできる。
【００３２】
防水シート６４は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。なお、防水シート６４の幅方向の内側部は、弾性伸縮シート１１の幅方向の両側部にホットメルト接着剤等で固定されている。
防水シート６４には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、防水シート６４として用いることができる。
【００３３】
（吸収要素）
吸収要素５０は、吸収体５６と、吸収体５６を包む包装シート５８とから形成されている。また、包装シート５８は、省略することもできる。
【００３４】
（第１実施形態の吸収体）
第１実施形態の吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ（２．５４ｃｍ）当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００３５】
図７に示すように、吸収体５６は、吸収体５６における腹部と背部の間の中間部の両側部に円弧状の切欠き部５７が設けられている。中間部における切欠き部５７が設けられた幅方向の長さＸ３（請求項における「最狭幅」）は、吸収体５６の幅方向の長さＸ１の５５〜９５％に形成され、中間部における切欠き部５７が設けられた前後方向の長さＹ２は、吸収体５６の前後方向の長さＹ１の２５〜６７％に形成されている。これにより、表１、図１０（ａ）、（ｂ）に示すように、吸収体５６の幅方向における全域で排泄物を吸収して排泄物の外部への漏れを防止し、装着者の股間から下側に向けて吸収体５６の股間部における中央部の垂れ下がりを抑制して装着者に与えるもたつき感を低減することができる。なお、図１０（ａ）は、弾性伸縮シート１１の前後方向の伸張率が１４０％の評価試験結果を示す股間部の写真であり、図１０（ｂ）は、弾性伸縮シート１１の前後方向の伸張率が１３０％の評価試験結果を示す股間部の写真である。
【００３６】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。高吸収性ポリマー粒子の材料としては、特に限定無く用いることができるが、吸水量（ＪＩＳ  Ｋ７２２３−１９９６「高吸水性樹脂の吸水量試験方法」）が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。  
【００３７】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００３８】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。なお、ゲル強度とは、次のようにして測定されるものである。人工尿（尿素：２０ｗｔ％、食塩：８ｗｔ％、塩化カルシウム二水和物：０．３ｗｔ％、酸化マグネシウム七水和物：０．８ｗｔ％、純水：７０．０１ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００３９】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００４０】
（第２実施形態の吸収体）
次に、第２実施形態の吸収体５６について説明する。なお、第１実施形態の吸収体５６と同一部品には、同一符号を付して説明を省略する。
【００４１】
図８に示すように、吸収体５６は、吸収体５６における腹部と背部の間の中間部の両側部に円弧状の切欠き部５７が設けられている。中間部における切欠き部５７が設けられた幅方向の長さＸ３（請求項における「最狭幅」）は、吸収体５６の幅方向の長さＸ１の３５〜７５％で、且つ、弾性伸縮シート１１の伸長時の幅方向の長さＸ２の６０〜９５％に形成され、中間部における切欠き部５７が設けられた前後方向の長さＹ２は、吸収体５６の前後方向の長さＹ１の２５〜６７％に形成されている。すなわち、吸収体５６のおける切欠き部５７が設けられた幅方向の長さＸ３が、弾性伸縮シート１１の幅方向の長さＸ２よりも狭く形成されている。これにより、表１、図１０（ｃ）に示すように、吸収体５６の幅方向における全域で排泄物を吸収して排泄物の外部への漏れを防止し、装着者の股間から下側に向けて吸収体５６の股間部における中央部の垂れ下がりをより抑制して装着者に与えるもたつき感を防止することができる。なお、図１０（ｃ）は、弾性伸縮シート１１の前後方向の伸張率が１４０％の評価試験結果を示す股間部の写真である。
【００４２】
（第３実施形態の吸収体）
次に、第３実施形態の吸収体５６について説明する。なお、第１実施形態の吸収体５６と同一部品には、同一符号を付して説明を省略する。
【００４３】
図９に示すように、吸収体５６は、長方形状に形成され、吸収体５６における腹部と背部の間の中間部の両側部に円弧状のエンボス等によって形成されたスリット５７Ａが設けられている。中間部におけるスリット５７Ａが設けられた幅方向の長さＸ３（請求項における「最狭幅」）は、吸収体５６の幅方向の長さＸ１の１０〜４５％に形成され、中間部におけるスリット５７Ａが設けられた前後方向の長さＹ２は、吸収体５６の前後方向の長さＹ１の３０〜６０％に形成されている。すなわち、吸収体５６のおけるスリット５７Ａが設けられた幅方向の長さＸ３が、弾性伸縮シート１１の幅方向の長さＸ２よりも狭く形成されている。これにより、表１、図１０（ｄ）に示すように、吸収体５６の幅方向における全域で排泄物を吸収して排泄物の外部への漏れを防止し、装着者の股間から下側に向けて吸収体５６の股間部における中央部の垂れ下がりをより抑制して装着者に与えるもたつき感を防止することができる。なお、図１０（ｄ）は、弾性伸縮シート１１の前後方向の伸張率が１４０％の評価試験結果を示す股間部の写真である。
スリットの幅方向の長さは特に限定されないが、スリットの幅方向の長さは５ｍｍ〜２０ｍｍが好ましい。また、スリット部分には吸収体を構成する高吸収性ポリマーやパルプが存在していても良いし、存在していなくても良い。好ましくは、スリットの吸収体厚み方向の長さは、吸収体の厚みに対して５０％〜１００％であることが好ましい。
【００４４】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。また、包装シート５８は、包装シート５８の外面における前後方向に伸長した状態で弾性伸縮シート１１が接合された部位に、弾性伸縮シート１１が収縮することで襞が形成される。
【００４５】
＜外装体＞
外装体１２は、図３に示すように、股間部から腹側に延在する前身頃Ｆを構成する部分と、股間部から背側に延在する後身頃Ｂを構成する部分とを有し、これら前身頃Ｆの両側部と後身頃Ｂの両側部とを接合することのよって、図１に示すように、装着者の胴を通すためのウエスト開口部ＷＯと、脚を通すための左右一対の脚開口部ＬＯが形成される。なお、外装体１２は、特に制限はなく前身頃Ｆを構成する部分と後身頃Ｂを構成する部分を別体にすることもできる。
【００４６】
外装体１２の内面に弾性伸縮シート１１を固定する方法については、特に制限はなく、外装体１２の内面に対向して設けられる弾性伸縮シート１１を全面固定したり、部分固定することもできる。また、外装体１２前身頃Ｆを構成する部分と後身頃Ｂを構成する部分を別体とされている場合、前身頃Ｆ等に対向する弾性伸縮シート１１の腹側部を全面固定したり、前身頃Ｆ等に対向する弾性伸縮シート１１を部分固定することもできる。部分固定する場合には、弾性伸縮シート１１と吸収要素５０の反身体面を接合する接合パターンを均一に分散して、接合パターンによって接合される部位の面積を弾性伸縮シート１１と吸収要素５０の反身体面とが重なる部位に対して少なくとも５０％以上にするのが好ましい。
ホットメルト接着剤による接合の場合は、スロット・カーテン・シグネチャーなどにより全面塗布して全面固定してもよいし、間欠塗布して部分固定することもできる。さらに、超音波による場合は、ドットエンボスによって部分固定することもできる。
本明細書において接合される部位の割合は、弾性伸縮シート１１と吸収要素５０の反身体面が接合パターンによって接合される部位の面積を弾性伸縮シート１１と吸収要素５０とが重なる部位の面積で除算して算出するものとする。また、外装体１２は、外装体１２の内面における前後方向に伸長させた弾性伸縮シート１１が接合された部位に、弾性伸縮シート１１が収縮することで襞が形成される。
【００４７】
図５，６に示すように、外装体１２は、二枚の第１シート材１２Ｓと第２シート１２Ｈを接合して形成されている。内側に位置する第２シート材１２Ｈはウエスト開口部ＷＯの縁までしか延在していないが、外側に位置する第１シート材１２Ｓは第２シート材１２Ｈのウエスト側の縁を回り込んでその内側に折り返されている。また、第１シート材１２Ｓと第２シート１２Ｈの間には、ウエスト縁部Ｗに配置される細長状のウエスト縁部弾性伸縮部材１７と、ウエスト下部Ｕに配置される細長状のウエスト下部弾性伸縮部材１５と、前身頃Ｆ及び後身頃Ｂの中間部Ｌに配置される細長状の中間部弾性伸縮部材１６が固定されている。
【００４８】
ウエスト縁部弾性伸縮部材１７は、ウエスト開口部ＷＯの近傍部位に、幅方向全体にわたり連続するように、上下方向に所定の間隔を隔てて、かつ所定の伸長率で幅方向に沿って伸長された状態で固定されている。ウエスト縁部弾性伸縮部材１７は、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定するのが好ましい。なお、ウエスト縁部弾性伸縮部材１７における内装体２００側に配置された数本のウエスト縁部弾性伸縮部材１７を内装体２００と重ねて配置することもできる。
【００４９】
ウエスト下部弾性伸縮部材１５は、内装体２００と重なる幅方向中央部を除いて、幅方向両側の各部位に、幅方向全体にわたり連続するように、上下方向に所定の間隔を隔てて、かつ所定の伸長率で幅方向に沿って伸長された状態で固定されている。また、ウエスト下部弾性伸縮部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定するのが好ましい。
【００５０】
中間部弾性伸縮部材１６は、内装体２００と重なる幅方向中央部を除いて、その幅方向両側の各部位に、幅方向全体にわたり連続するように、上下方向に所定の間隔を隔てて、かつ所定の伸長率で幅方向に沿って伸長された状態で固定されている。また、中間部弾性伸縮部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸長率１５０〜３００％、特に１８０〜２６０％で固定するのが好ましい
【００５１】
＜評価試験＞
実施例１，２は、外装体１２の内面に第１実施形態の吸収体５６を有する内装体２００を固定した試料であり、実施例３は、外装体１２の内面に第２実施形態の吸収体５６を有する内装体２００を固定した試料であり、実施例４は、外装体１２の内面に第３実施形態の吸収体５６を有する内装体２００を固定した試料である。また、比較例１は、実施例１の弾性伸縮シート１１の伸張率を１００％にした試料であり、比較例２は、実施例１の弾性伸縮シート１１の伸張率を１２０％にした試料であり、比較例３は、実施例１の弾性伸縮シート１１の伸張率を１５０％にした試料である。
【００５２】
幼児の形態に類似して製作されたダミー人形に試料を装着し、ダミー人形（カトーテック製 ベビー用Ｌサイズ座位ウォーキングダミー）の排出口から試料に５分間の間隔を隔てて、人工尿７０ｃｃ／回を３回、合計人工尿２１０ｃｃを排出した後に、試料からの人工尿の漏れ、もたつき感を引き起す試料の垂れ下がり状態、試料のよじれ状態を目視観察した。
【００５３】
（各例共通の仕様）
・おむつ寸法
全長Ｙ：５００ｍｍ
全幅Ｘ：３７４ｍｍ
・内装体２００の寸法
全長：４２５ｍｍ
全幅：１４０ｍｍ
・吸収体５６の寸法
全長５６Ｙ：３７５ｍｍ
全幅５６Ｘ：１４０ｍｍ
・吸収体の目付け等
パルプ繊維：１０９ｇ／ｍ2
高吸収性ポリマー：２０４ｇ／ｍ2
高吸収性ポリマーの吸水量：６０ｇ／ｇ
【００５４】
目視観察の結果を表１に整理し、図１０（ａ）〜（ｄ）、図１１（ａ）〜（ｄ）、図１２（ｅ）〜（ｈ）、及び図１３（ｉ）に目視観察した試料の状態を示す。なお、表１のＸ１〜３，Ｙ１，２は、図７〜９に図示したＸ１〜３，Ｙ１，２に対応する。人工尿の漏れの有無は、ダミー人形に試料から漏れた人工尿の付着が有るか否かで評価した。吸収体の垂れ下がり、吸収体のよじれ形は、目視観察によって評価した。
【００５５】
【表１】
0006774639.tif 000002
【００５６】
＜明細書中の用語の説明＞
明細書中で以下の用語が使用される場合、明細書中に特に記載が無い限り、以下の意味を有するものである。
・「伸長率」は、自然長を１００％としたときの値を意味する。
・「人口尿」は、尿素：２０ｗｔ％、食塩：８ｗｔ％、塩化カルシウム二水和物：０．３ｗｔ％、酸化マグネシウム七水和物：０．８ｗｔ％、及び純水：７０．０１ｗｔ％を混合したものであり、特に記載の無い限り、温度４０度で使用される。
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸＭＥ−５００）でゲル強度を測定する。
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
・「吸水量」は、ＪＩＳ  Ｋ７２２３−１９９６「高吸水性樹脂の吸水量試験方法」によって測定する。
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載が無い場合、その試験や測定は、標準状態（試験場所は、温度２０±５℃、相対湿度６５％以下）の試験室又は装置内で行うものとする。
・各部の寸法は、特に記載が無い限り、自然長状態ではなく展開状態における寸法を意味し、展開状態とは、収縮や弛み無く平坦に展開した状態を意味する。
【産業上の利用可能性】
【００５７】
本発明は、パンツタイプ使い捨ておむつ、テープタイプ使い捨ておむつ等の吸収体の垂れ下がり防止として使用できるものである。
【符号の説明】
【００５８】
１１      弾性伸縮シート
１２      外装体
５０      吸収要素
５６      吸収体
５７      切欠き部
５７Ａ    スリット
６０      立体ギャザー
６２      ギャザーシート
６３      弾性伸縮部材
６４      防水シート
２００    内装体
【図１】
0006774639.tif 000003
【図２】
0006774639.tif 000004
【図３】
0006774639.tif 000005
【図４】
0006774639.tif 000006
【図５】
0006774639.tif 000007
【図６】
0006774639.tif 000008
【図７】
0006774639.tif 000009
【図８】
0006774639.tif 000010
【図９】
0006774639.tif 000011
【図１０】
0006774639.tif 000012
【図１１】
0006774639.tif 000013
【図１２】
0006774639.tif 000014
【図１３】
0006774639.tif 000015
【図１４】
0006774639.tif 000016